(57)【要約】【課題】レーザービームスポットを現在の層信号面から目的とする他の層の信号面に確実に移行させる。【解決手段】記録再生可能な信号面が２層又は２層以上の多層に形成された光ディスク１Ａ又は１Ｂ中で所望の層の信号面に対物レンズ３８から出射させたレーザービームスポットＬＢを照射して情報信号を記録し、記録した情報信号を再生する際に、レーザービームスポットＬＢを現在の層の信号面から目的とする他の層の信号面にフォーカスジャンプさせた後に、目的とする他の層の信号面が未記録である記録済みであるかをグルーブトラックに記録した情報信号の振幅から判別して、他の層の信号面が未記録である場合には光ディスク中にプリフォーマットされたアドレス情報を取得する一方、記録済みである場合には情報信号中から記録したＩＤアドレス情報を取得するようにアドレス情報切り換え可能に構成した。【選択図】図８
2009093700.tif 000002
【特許請求の範囲】
【請求項１】
ウォブルされたグルーブトラックと、隣り合う前記グルーブトラック間にあるランドトラックとが対をなしてディスク基板の内周から外周に亘って螺旋状又は同心円状に形成された記録再生可能な信号面を少なくとも２層以上有し、且つ、前記ランドトラック上又は前記グルーブトラック上のいずれか一方にプリフォーマットされたアドレス情報を有する光ディスクを用い、前記グルーブトラック及び前記ランドトラック上に対物レンズから出射されたレーザービームスポットを照射して情報信号を前記グルーブトラックに記録し、前記記録した情報信号を再生する光ディスク装置において、
前記グルーブトラック及び前記ランドトラック上に照射した前記レーザービームスポットの反射光を複数の受光領域で受光して、各受光領域からの各検出信号を出力する多分割型フォトディテクタと、
前記多分割型フォトディテクタの各検出信号を第１の演算処理により演算してフォーカスエラー信号を検出するフォーカスエラー信号検出手段と、
前記フォーカスエラー信号と、前記レーザービームスポットを現在の層の信号面から目的とする他の層の信号面にフォーカスジャンプするためのフォーカスジャンプ信号・フォーカスブレーキ信号とを選択的にフォーカスコイルに印加して前記対物レンズをフォーカス制御するフォーカス制御手段と、
前記多分割型フォトディテクタの各検出信号を第２の演算処理により演算してトラッキングエラー信号を検出するトラッキングエラー信号検出手段と、
前記レーザービームスポットを前記フォーカスジャンプ信号・フォーカスブレーキ信号により前記他の層の信号面にフォーカスジャンプした後に、前記トラッキングエラー信号により前記対物レンズをトラッキング制御するトラッキング制御手段と、
前記多分割型フォトディテクタの各検出信号を第３の演算処理により演算してプッシュプル信号を検出するプッシュプル信号検出手段と、
前記プッシュプル信号から前記ランドトラック上又は前記グルーブトラック上のいずれか一方にプリフォーマットされたアドレス情報を抽出するプリフォーマットアドレス情報抽出手段と、
前記多分割型フォトディテクタの各検出信号を第４の演算処理により演算して前記グルーブトラックに記録した前記情報信号を検出するＲＦ信号検出手段と、
前記検出した情報信号中から記録したＩＤアドレス情報を抽出するＩＤアドレス抽出手段と、
前記検出した情報信号の振幅に対して所定の閾値を設定し、前記レーザービームスポットを前記他の層の信号面にフォーカスジャンプした後に、前記他の層の信号面が未記録であるか記録済みであるかを判別する未記録／記録済み判別手段と、
前記未記録／記録済み判別手段の判別結果が未記録であれば前記プリフォーマットされたアドレス情報を取得するように切り換え、一方、前記未記録／記録済み判別手段の判別結果が記録済みであれば前記ＩＤアドレス情報を取得するように切り換える切り換え手段と、
を備えたことを特徴とする光ディスク装置。
【請求項２】
前記プリフォーマットされたアドレス情報を取得するために前記ランドトラック上にランドプリピットをプリフォーマットした第１光ディスクと、前記プリフォーマットされたアドレス情報を取得するために前記グルーブトラック上にウォブル位相変調部をプリフォーマットした第２光ディスクとを選択的に装着可能に成したことを特徴とする請求項１記載の光ディスク装置。
【請求項３】
前記プリフォーマットされたアドレス情報は、前記第１光ディスク中で前記ランドトラック上にプリフォーマットされた前記ランドプリピットにより得られるランドプリピット信号を前記プッシュプル信号から抽出するか、又は、前記第２光ディスク中で前記グルーブトラック上にプリフォーマットされた前記ウォブル位相変調部により得られるＡＤＩＰ信号を前記プッシュプル信号から抽出することを特徴とする請求項２記載の光ディスク装置。
【請求項４】
前記未記録／記録済み判別手段は、前記レーザービームスポットを前記他の層の信号面にフォーカスジャンプした後に、トラッキングループオンするまでの待ち時間の間に前記他の層の信号面が未記録であるか記録済みであるかの判別を行うことを特徴とする請求項１〜請求項３のいずれか１項記載の光ディスク装置。
【発明の詳細な説明】
【技術分野】
【０００１】
本発明は、記録再生可能な信号面が２層又は２層以上の多層に形成された光ディスク中で所望の層の信号面に対物レンズから出射させたレーザービームスポットを照射して情報信号を記録し、前記記録した情報信号を再生する際に、レーザービームスポットを現在の層の信号面から目的とする他の層の信号面にフォーカスジャンプさせた後に、目的とする他の層の信号面が記録済みであるか否かを判別して、他の層の信号面が未記録である場合には光ディスク中にプリフォーマットされたアドレス情報を取得する一方、記録済みである場合には光ディスク中に記録されたＩＤアドレス情報を取得するようにアドレス情報切り換え可能に構成した光ディスク装置に関するものである。
【背景技術】
【０００２】
一般的に、光ディスクは、映像情報とか音声情報やコンピュータデータなどの情報信号を円盤状のディスク基板上で螺旋状又は同心円状に形成したトラックに高密度に記録し、且つ、記録済みのトラックを再生する際に所望のトラックを高速にアクセスできることから多用されている。
【０００３】
この際、光ディスクは、再生専用タイプと記録再生タイプとに大別できる。
【０００４】
ここで、再生専用タイプの光ディスクは、樹脂材を用いて射出成形により円盤状のディスク基板上に凹凸状のピット列でトラックを螺旋状又は同心円状に形成して、この凹凸状のピット列上にアルミなどの反射膜を膜付けして信号面を形成している。
【０００５】
一方、記録再生タイプの光ディスクは、樹脂材を用いて射出成形により円盤状のディスク基板上に凹凸状のグルーブとランドとでトラックを交互に螺旋状又は同心円状に予め形成し、これらのグルーブとランド上に記録層，反射層を順に膜付けして信号面を形成している。
【０００６】
そして、再生専用タイプの光ディスクは、光ディスク装置内で光ディスクの径方向に移動自在に設けた光ピックアップから対物レンズを介して出射された再生用のレーザービームスポットを信号面に照射して、信号面から反射された戻り光を多分割型フォトディテクタで受光することで、データを再生している。
【０００７】
一方、記録再生タイプの光ディスクは、光ディスク装置内で光ディスクの径方向に移動自在に設けた光ピックアップから対物レンズを介して出射された記録用のレーザービームスポットで信号面の記録層に情報信号を記録し、この後、記録済みの信号面を上記と同じように再生用のレーザービームスポットで再生している。
【０００８】
この種の光ディスクとして、記録再生可能なＤＶＤ（Ｄｉｇｉｔａｌ  Ｖｅｒｓａｔｉｌｅ  Ｄｉｓｃ）や、ＤＶＤよりも高密度化を図ったＨＤ−ＤＶＤ（Ｈｉｇｈ  Ｄｅｆｉｎｉｔｉｏｎ  ＤＶＤ）とかＢＤ（Ｂｌｕ−ｒａｙ  Ｄｉｓｃ）では、記録層を有する信号面が単層であるものの他に、信号面が２層又は２層以上の多層のものが存在する。
【０００９】
例えば、２層のＤＶＤの場合には、層間距離が５５μｍであるので、レーザービームスポット入射面から０．６ｍｍ隔てた位置を中心として±２７．５μｍの位置、即ち、レーザービームスポット入射面から０．５７２５ｍｍ隔てた位置と、レーザービームスポット入射面から０．６２７５ｍｍ隔てた位置にそれぞれＤＶＤ規格に準拠してトラックピッチが０．７４μｍ程度に設定された第１，第２信号面があり、これらの第１，第２信号面を開口数ＮＡが０．６〜０．６５程度の対物レンズを用いて記録又は再生している。
【００１０】
また、２層のＨＤ−ＤＶＤの場合には、層間距離が２０μｍであるので、レーザービームスポット入射面から０．６ｍｍ隔てた位置を中心として±１０μｍの位置、即ち、レーザービームスポット入射面から０．５９ｍｍ隔てた位置と、レーザービームスポット入射面から０．６１ｍｍ隔てた位置にそれぞれＨＤ−ＤＶＤ規格に準拠してトラックピッチが０．４０μｍ程度に設定された第１，第２信号面があり、これらの第１，第２信号面を開口数ＮＡが０．６〜０．６５程度の対物レンズを用いて記録又は再生している。
【００１１】
更に、２層のＢＤの場合には、層間距離が２５μｍであるので、レーザービームスポット入射面から０．０８７５ｍｍ隔てた位置を中心として±１２．５μｍの位置、即ち、レーザービームスポット入射面から０．０７５ｍｍ隔てた位置と、レーザービームスポット入射面から０．１ｍｍ隔てた位置にそれぞれＢＤ規格に準拠してトラックピッチが０．３２μｍ程度に設定された第１，第２信号面があり、これらの第１，第２信号面を開口数ＮＡが０．８５程度の対物レンズを用いて記録又は再生している。
【００１２】
ところで、下記の特許文献１（特開２００１−３５１３１１号公報）に開示された光ディスクのシーク方法及び光ディスク駆動装置には、ここでの図示を省略するものの、書き込み又は書き換え可能な光ディスクの記録済み部と未記録部からアドレス情報を異なる方法で読み出す際に、シークにおいて、記録済みの部分は記録済みのアドレス情報を用いてシークし、未記録部はプリアドレス方式を用いることで、正常なアクセスができ、且つ、未記録部に突入してもアドレスを取得することができる旨が示されている。
【００１３】
【特許文献１】特開２００１−３５１３１１号公報
【発明の開示】
【発明が解決しようとする課題】
【００１４】
ところで、上記した特許文献１に開示された光ディスクのシーク方法及び光ディスク駆動装置によれば、前述したように、書き込み又は書き換え可能な光ディスクへのシーク時に、未記録部に対してプリアドレス方式を用い、且つ、記録済みの部分は記録済みのアドレス情報を用いているものの、ここで用いられる書き込み又は書き換え可能な光ディスクの例として、ＣＤＲ，ＣＤ−ＲＷ，ＤＶＤ−Ｒ及びＤＶＤ−ＲＡＭが適用されているが、これらの光ディスクのプリアドレス方式は後述するようにランドプリピットフォーマットを採用しているものである。
【００１５】
一方、記録再生タイプの光ディスクとして、ＤＶＤ＋ＲやＤＶＤ＋ＲＷもあり、この場合に光ディスクのプリアドレス方式は後述するようにウォブル位相変調フォーマットを採用している。
【００１６】
従って、記録再生タイプの光ディスクからプリフォーマットされたアドレス情報を取得するには、ランドプリピットフォーマットを採用したものと、ウォブル位相変調フォーマットを採用したものと２種類存在することになるが、上記した特許文献１では未記録部に対するプリアドレス方式としてランドプリピットフォーマットによる１種類しか適用できないので光ディスクの種類が限定されてしまう。
【００１７】
また、ＤＶＤ，ＨＤ−ＤＶＤ，ＢＤのような光ディスクにおいて、書き込み及び書き換え可能なメディアは、記録するコンテンツの高精細化・大容量化に伴って、片面に２層の信号面がある２層ディスクの使用頻度が高まりつつある。これら２層ディスクをはじめ、記録再生可能な信号面が２層又は２層以上の多層に形成された光ディスクに記録した情報信号を再生する場合、層を跨いだ２点間のアクセスをする機会が発生する。
【００１８】
この際、２層以上の信号面を持つ光ディスクにおいて、各層の信号面内で未記録領域と記録済み領域とが混在する場合に、層を跨いだ２点間のアクセスを高速に行うためには、層間移動を行なうフォーカスジャンプの前に目的の層のフォーカスジャンプ後の位置が記録済みであるか、未記録であるかの確認が必要であるが、上記した特許文献１では、未記録／記録済みの判別を光ディスクのＰＭＡ（Ｐｒｏｇｒｍ  Ｍｅｍｏｒｙ  Ａｒｅａ）のセクターテーブルに書き込まれた記録状態コードによっているが、この記録状態コードの定義では、０：未記録（データが記録されていないことを示す）、１：書き込み動作を行ったことを示す（記録されている保証はない）、２：記録確認済み（実際に読み出し記録データが確認されたことを示す）の３通りのコードが存在し、とくに、あるセクタを記録状態コード：１に書き換えたときに、そのセクタにデータが記録されているとは限らないために、記録済みかどうか不明な部分については記録済みかどうか調べなければならないので、アクセス動作前の複雑な判断を含む煩雑な処理が必要である。
【００１９】
そこで、記録再生可能な信号面が２層又は２層以上の多層に形成された光ディスク中で所望の層の信号面に対物レンズから出射させたレーザービームスポットを照射して情報信号を記録し、前記記録した情報信号を再生する際に、レーザービームスポットを現在の層信号面から目的とする他の層の信号面に確実に移行でき、更に、プリフォーマットされたアドレス情報を取得するためにランドプリピットフォーマットを採用した第１光ディスクと、プリフォーマットされたウォブル位相変調フォーマットを採用した第２光ディスクのいずれにも適用できる光ディスク装置が望まれている。
【課題を解決するための手段】
【００２０】
本発明は上記課題に鑑みてなされたものであり、第１の発明は、ウォブルされたグルーブトラックと、隣り合う前記グルーブトラック間にあるランドトラックとが対をなしてディスク基板の内周から外周に亘って螺旋状又は同心円状に形成された記録再生可能な信号面を少なくとも２層以上有し、且つ、前記ランドトラック上又は前記グルーブトラック上のいずれか一方にプリフォーマットされたアドレス情報を有する光ディスクを用い、前記グルーブトラック及び前記ランドトラック上に対物レンズから出射されたレーザービームスポットを照射して情報信号を前記グルーブトラックに記録し、前記記録した情報信号を再生する光ディスク装置において、
前記グルーブトラック及び前記ランドトラック上に照射した前記レーザービームスポットの反射光を複数の受光領域で受光して、各受光領域からの各検出信号を出力する多分割型フォトディテクタと、
前記多分割型フォトディテクタの各検出信号を第１の演算処理により演算してフォーカスエラー信号を検出するフォーカスエラー信号検出手段と、
前記フォーカスエラー信号と、前記レーザービームスポットを現在の層の信号面から目的とする他の層の信号面にフォーカスジャンプするためのフォーカスジャンプ信号・フォーカスブレーキ信号とを選択的にフォーカスコイルに印加して前記対物レンズをフォーカス制御するフォーカス制御手段と、
前記多分割型フォトディテクタの各検出信号を第２の演算処理により演算してトラッキングエラー信号を検出するトラッキングエラー信号検出手段と、
前記レーザービームスポットを前記フォーカスジャンプ信号・フォーカスブレーキ信号により前記他の層の信号面にフォーカスジャンプした後に、前記トラッキングエラー信号により前記対物レンズをトラッキング制御するトラッキング制御手段と、
前記多分割型フォトディテクタの各検出信号を第３の演算処理により演算してプッシュプル信号を検出するプッシュプル信号検出手段と、
前記プッシュプル信号から前記ランドトラック上又は前記グルーブトラック上のいずれか一方にプリフォーマットされたアドレス情報を抽出するプリフォーマットアドレス情報抽出手段と、
前記多分割型フォトディテクタの各検出信号を第４の演算処理により演算して前記グルーブトラックに記録した前記情報信号を検出するＲＦ信号検出手段と、
前記検出した情報信号中から記録したＩＤアドレス情報を抽出するＩＤアドレス抽出手段と、
前記検出した情報信号の振幅に対して所定の閾値を設定し、前記レーザービームスポットを前記他の層の信号面にフォーカスジャンプした後に、前記他の層の信号面が未記録であるか記録済みであるかを判別する未記録／記録済み判別手段と、
前記未記録／記録済み判別手段の判別結果が未記録であれば前記プリフォーマットされたアドレス情報を取得するように切り換え、一方、前記未記録／記録済み判別手段の判別結果が記録済みであれば前記ＩＤアドレス情報を取得するように切り換える切り換え手段と、
を備えたことを特徴とする光ディスク装置である。
【００２１】
また、第２の発明は、上記した第１の発明の光ディスク装置において、
前記プリフォーマットされたアドレス情報を取得するために前記ランドトラック上にランドプリピットをプリフォーマットした第１光ディスクと、前記プリフォーマットされたアドレス情報を取得するために前記グルーブトラック上にウォブル位相変調部をプリフォーマットした第２光ディスクとを選択的に装着可能に成したことを特徴とする光ディスク装置である。
【００２２】
また、第３の発明は、上記した第２の発明の光ディスク装置において、
前記プリフォーマットされたアドレス情報は、前記第１光ディスク中で前記ランドトラック上にプリフォーマットされた前記ランドプリピットにより得られるランドプリピット信号を前記プッシュプル信号から抽出するか、又は、前記第２光ディスク中で前記グルーブトラック上にプリフォーマットされた前記ウォブル位相変調部により得られるＡＤＩＰ信号を前記プッシュプル信号から抽出することを特徴とする光ディスク装置である。
【００２３】
更に、第４の発明は、上記した第１〜第３のいずれかの発明の光ディスク装置において、  前記未記録／記録済み判別手段は、前記レーザービームスポットを前記他の層の信号面にフォーカスジャンプした後に、トラッキングループオンするまでの待ち時間の間に前記他の層の信号面が未記録であるか記録済みであるかの判別を行うことを特徴とする光ディスク装置である。
【発明の効果】
【００２４】
上記した第１の発明の光ディスク装置によると、とくに、記録再生可能な信号面が２層又は２層以上の多層に形成された光ディスク中で所望の層の信号面に対物レンズから出射させたレーザービームスポットを照射して情報信号を記録し、前記記録した情報信号を再生する際に、レーザービームスポットＬＢを現在の層の信号面から目的とする他の層の信号面にフォーカスジャンプさせた後に、目的とする他の層の信号面が未記録である記録済みであるかをグルーブトラックに記録した情報信号（メインデータ信号）の振幅から判別して、他の層の信号面が未記録である場合には光ディスク中にプリフォーマットされたアドレス情報を取得する一方、記録済みである場合には記録済みの情報信号中から記録したＩＤアドレス情報を取得するようにアドレス情報切り換え可能に構成しているために、他の層の信号面が記録済みである場合に従来例で説明したようなＰＭＡ（Ｐｒｏｇｒｍ  Ｍｅｍｏｒｙ  Ａｒｅａ）のセクターテーブルに書き込まれた記録状態コードを用いないので、この記録状態コードが記録されている保証がないとか又は記録状態コードが誤っている場合でも従来例を適用せずに、本発明のように記録済みのグルーブトラックから得た情報信号中から記録したＩＤアドレス情報を確実に取得でき、且つ、他の層の信号面を信頼性良くアクセスすることができると共に、アクセス処理をシンプルにすることができる。
【００２５】
更に、各層でトラックピッチが大きく異なった光ディスクを仮に適用した場合、フォーカスジャンプの着地ポイントのアドレスが各層のトラックピッチが同じと仮定して算出したアドレスと大きく異なることがあるが、本発明ではフォーカスジャンプ前に記録状態を予め知る必要がないので、このような場合も対応可能である。
【００２６】
また、上記した第２の発明の光ディスク装置によると、とくに、プリフォーマットされたアドレス情報を取得するためにランドプリピットフォーマットを採用した第１光ディスクと、プリフォーマットされたアドレス情報を取得するためにウォブル位相変調フォーマットを採用した第２光ディスクとを選択的に装着可能に構成されているために、光ディスク装置の使い勝手を向上させることができる。
【００２７】
また、上記した第３の発明の光ディスク装置によると、とくに、プリフォーマットされたアドレス情報は、第１光ディスク中で前記ランドトラック上にプリフォーマットされたランドプリピットにより得られるランドプリピット信号をプッシュプル信号から抽出するか、又は、第２光ディスク中で前記グルーブトラック上にプリフォーマットされたウォブル位相変調部により得られるＡＤＩＰ信号をプッシュプル信号から抽出しているので、プッシュプル信号検出手段を第１，第２光ディスクに対して共用できるために、光ディスク装置の構成を簡素化することができる。
【００２８】
更に、上記した第４の発明の光ディスク装置によると、とくに、未記録／記録済み判別手段は、レーザービームスポットを他の層の信号面にフォーカスジャンプした後に、トラッキングループオンするまでの待ち時間の間に他の層の信号面が未記録であるか記録済みであるかの判別を行っているために、他の層の信号面に対する未記録／記録済み判別を信頼性良く確実に行なうことができる。
【発明を実施するための最良の形態】
【００２９】
以下に本発明に係る光ディスク装置の一実施例について図１〜図１６を参照して項目順に詳細に説明する。
【実施例】
【００３０】
本発明に係る光ディスク装置を説明する前に、この光ディスク装置内で選択的に適用される２種類の記録再生タイプの光ディスクの例として、プリフォーマットされたアドレス情報を取得するためにランドプリピットフォーマットを採用した第１光ディスクと、プリフォーマットされたアドレス情報を取得するためにウォブル位相変調フォーマットを採用した第２光ディスクとについて図１〜図７を用いて先に説明する。
＜第１，第２光ディスク＞
図１（ａ），（ｂ）は本発明に係る光ディスク装置に適用される第１光ディスクを模式的に示した斜視図，平面図、
図２は図１に示した第１光ディスクにおいて、グルーブトラックに記録される情報信号のデータフォーマットを説明するための図、
図３は図１に示した第１光ディスクにおいて、ランドトラック上に形成したランドプリピットの種類を説明するための図、
図４は図１に示した第１光ディスクにおいて、一つのセクタに対応して設けた複数のランドプリピットを示した図、
図５（ａ），（ｂ）は本発明に係る光ディスク装置に適用される第２光ディスクを模式的に示した斜視図，平面図、
図６は図５に示した第２光ディスクにおいて、グルーブトラック上に形成したウォブル位相変調部のＡＤＩＰ構造を模式的に示した図、
図７（ａ）〜（ｃ）は図５に示した第２光ディスクにおいて、８ウォブルの位相変調部（ＡＤＩＰ）を説明するための図である。
【００３１】
まず、図１（ａ），（ｂ）に示した如く、本発明に係る光ディスク装置２０（図８）に適用される第１光ディスク１Ａは、プリフォーマットされたアドレス情報を取得するためにランドプリピットフォーマットを採用しており、このランドプリピットフォーマットは例えば記録再生可能なＤＶＤ−Ｒ（ＤＶＤ−Ｒｅｃｏｒｄａｂｌｅ）やＤＶＤ−ＲＷ（ＤＶＤ−Ｒｅｗｒｉｔａｂｌｅ）に適用されている。
【００３２】
上記した第１光ディスク１Ａは、記録再生可能なＤＶＤ−Ｒ，ＤＶＤ−ＲＷと対応して信号面が下記するように２層に形成されているが、ここでの図示を省略するが２層以上の多層の場合もある。
【００３３】
具体的に説明すると、第１光ディスク１Ａでは、透明な第１ディスク基板２Ａが略０．６ｍｍ程度の厚みで円盤状に形成され、この第１ディスク基板２Ａの一方の面側に所定の周波数でｓｉｎｅカーブ状にウォブル（蛇行）されて情報信号を記録するためのグルーブトラック３と、隣り合うグルーブトラック３間にあるランドトラック４とが対をなして内周から外周に亘って螺旋状又は同心円状に形成されており、且つ、ランドトラック４上にグルーブトラック３に記録する情報信号へのアドレス情報や訂正用パリティなどの補助情報がランドプリピット４ａとしてプリフォーマットされていると共に、第１ディスク基板２Ａのグルーブトラック３及びランドトラック４上に第１記録層５ａと半透過反射層５ｂとが成膜されて１層目の第１信号面５Ａが形成されている。
【００３４】
また、厚さが略０．６ｍｍ程度の第２ディスク基板６Ａも、第１ディスク基板２Ａと略同様に、一方の面にグルーブトラック３とランドトラック４とが対をなして内周から外周に亘って螺旋状又は同心円状に形成されており、且つ、ランドトラック４上にランドプリピット４ａ（図示せず）がプリフォーマットされていると共に、第２ディスク基板６Ａのグルーブトラック３及びランドトラック４上に第２記録層７ａと反射層７ｂとが成膜されて２層目の第２信号面７Ａが形成されている。
【００３５】
更に、第１ディスク基板２Ａの一方の面と、第２ディスク基板６Ａの一方の面とを層間距離が例えば５５μｍ程度となるように接着剤層８により貼り合わせて、第１光ディスク１Ａが略１．２ｍｍの厚みに形成されている。
【００３６】
そして、第１光ディスク１Ａ中で透明な第１ディスク基板２Ａの他方の面側からレーザービームスポットＬＢを照射して、第１信号面５Ａの第１記録層５ａ又は第２信号面７Ａの第２記録層７ａに情報信号を記録した後に、第１信号面５Ａの半透過反射層５ｂ又は第２信号面７Ａの反射層７ｂで反射された戻りの反射光を、後述する光ピックアップ３０（図８）内の多分割型フォトディテクタ４３（図８，図９）を用いて検出している。
【００３７】
ここで、グルーブトラック３は、第１光ディスク１Ａを例えばＣＬＶ（Ｃｏｎｓｔａｎｔ  Ｌｉｎｅａｒ  Ｖｅｌｏｃｉｔｙ…線速度一定）で回転制御させる際の基準クロックを抽出するために、前記した基準クロックに基づいた所定の周波数でウォブル（蛇行）されており、ウォブルの位相が全て同一の位相になっているので、隣り合うグルーブトラック３同士が互いに逆位相になることはない。そして、グルーブトラック３中で一つの同期フレーム周期は例えば３ウォブル周期に設定されている。
【００３８】
この際、グルーブトラック３に記録される情報信号のデータフォーマットは、図２に示した如く、一つのセクタ（レコーディングセクタ）が２６個の同期フレーム（シンクフレームで）で構成され、且つ、一つのＥＣＣ（Ｅｒｒｏｒ  Ｃｏｒｒｅｃｔｉｎｇ  Ｃｏｄｅ）ブロックが例えば１６セクタで構成されている。
【００３９】
そして、一つのセクタの先頭フレームにはセクタ先頭を示すフレーム同期信号ＳＹ０、その直後に記録済みの情報信号Ｄに対するトラック位置特定を行うためのＩＤ（Ｉｄｅｎｔｉｆｉｃａｔｉｏｎ  Ｄａｔａ）アドレス情報が含まれていると共に、２６個の各同期フレームには同期信号ＳＹと情報信号Ｄとがそれぞれ記録されている。
【００４０】
図１（ａ），（ｂ）に戻り、ランドトラック４上に形成したランドプリピット４ａは、隣り合うグルーブトラック３とグルーブトラック３とに跨がって接続されており、レーザービームスポットＬＢで一つのグルーブトラック３をトラッキングしながら走査する際に、走査中の一つのグルーブトラック３に対して外周側のランドプリピット４ａが現在走査中のグルーブトラック３のアドレス情報を示すとするならば、これに対して内周側のランドプリピット４ａは現在走査中のグルーブトラック３よりも１トラック前の内周側のグルーブトラック３に対するアドレス情報を示すものである。
【００４１】
また、ランドプリピット４ａは、図３に示したように、３ビット（ｂ２，ｂ１，ｂ０）を用いた組み合わせにより４種類のコードデータが設定されており、３ビット（ｂ２，ｂ１，ｂ０）の配列は連続した３つのウォブル中でウォブル周期に同期した各ウォブルの所定位置に合計で３か所設定されている。
【００４２】
この際、ランドプリピット５の３ビット（ｂ２，ｂ１，ｂ０）の配列は、プリピット同期信号１が（１，１，１）に、プリピット同期信号２は（１，１，０）に、プリピットデータは（１，０，１）に、プリピットデータ＝０は（１，０，０）に設定されている。
【００４３】
従って、各ランドプリピット５は、４種類のうちのいずれか１つが必ず付与されていると共に、４種類のランドプリピット５はビットｂ２が共通して“１”に設定されており、プリピット同期信号１及びプリピット同期信号２についてはビットｂ１が共に“１”であることにより同期情報であるとして認識され、更に、ビットｂ０が“１”か“０”かを認識することにより１ビットのデータとして扱うことができる。
【００４４】
そして、図４に示したように、一つのグルーブトラック３に対して一方側のランドトラック４上に形成した外周側のランドプリピット４ａは奇数番目の同期フレームに対応して設けられ、且つ、他方側のランドトラック４上に形成した内周側のランドプリピット４ａは偶数番目の同期フレームに対応して設けられているので、ランドプリピット４ａが一つのグルーブトラック３の両側で重なり合うことがない。
【００４５】
これに伴って、前述したように、一つのセクタは２６個の同期フレームで構成されているため、同期フレームに対して一つおきに設けたランドプリピット４ａは一つのセクタと対応して１３個設けられており、一つのセクタ２６フレーム中に１３アドレスデータビットが存在することになる。
【００４６】
次に、図５（ａ），（ｂ）に示した如く、本発明に係る光ディスク装置２０（図８）に適用される第２光ディスク１Ｂは、プリフォーマットされたアドレス情報を取得するためにウォブル位相変調フォーマットを採用しており、このウォブル位相変調フォーマットは例えば記録再生可能なＤＶＤ＋Ｒ（ＤＶＤ＋Ｒｅｃｏｒｄａｂｌｅ）やＤＶＤ＋ＲＷ（ＤＶＤ＋Ｒｅｗｒｉｔａｂｌｅ）に適用されていると共に、ＤＶＤよりも更に高密度記録再生可能なＢＤにも適用されている。
【００４７】
上記した第２光ディスク１Ｂは、記録再生可能なＤＶＤ＋Ｒ，ＤＶＤ＋ＲＷと対応して信号面が下記するように２層に形成されているが、ここでの図示を省略するが２層以上の多層の場合もある。
【００４８】
具体的に説明すると、第２光ディスク１Ｂでは、透明な第１ディスク基板２Ｂが略０．６ｍｍ程度の厚みで円盤状に形成され、この第１ディスク基板２Ｂの一方の面側に所定の周波数でｓｉｎｅカーブ状にウォブル（蛇行）されて情報信号を記録するためのグルーブトラック３と、隣り合うグルーブトラック３間にあるランドトラック４とが対をなして内周から外周に亘って螺旋状又は同心円状に形成されており、且つ、グルーブトラック３上にウォブル周波数よりも高い周波数でウォブルの位相を１８０°反転させて位相変調されたウォブル位相変調部（ＡＤＩＰ）３ａがプリフォーマットされていると共に、第１ディスク基板２Ｂのグルーブトラック３及びランドトラック４上に第１記録層５ａと半透過反射層５ｂとが成膜されて１層目の第１信号面５Ｂが形成されている。
【００４９】
また、厚さが略０．６ｍｍ程度の第２ディスク基板６Ｂも、第１ディスク基板２Ｂと略同様に、一方の面にグルーブトラック３とランドトラック４とが対をなして内周から外周に亘って螺旋状又は同心円状に形成されており、且つ、グルーブトラック３上にウォブル位相変調部３ａ（図示せず）がプリフォーマットされていると共に、第２ディスク基板６Ｂのグルーブトラック３及びランドトラック４上に第２記録層７ａと反射層７ｂとが成膜されて２層目の第２信号面７Ｂが形成されている。
【００５０】
更に、第１ディスク基板２Ｂの一方の面と、第２ディスク基板６Ｂの一方の面とを層間距離が例えば５５μｍ程度となるように接着剤層８により貼り合わせて、第２光ディスク１Ｂが略１．２ｍｍの厚みに形成されている。
【００５１】
そして、第２光ディスク１Ｂ中で透明な第１ディスク基板２Ｂの他方の面側からレーザービームスポットＬＢを照射して、第１信号面５Ｂの第１記録層５ａ又は第２信号面７Ｂの第２記録層７ａに情報信号を記録した後に、第１信号面５Ｂの半透過反射層５ｂ又は第２信号面７Ｂの反射層７ｂで反射された戻りの反射光を、後述する光ピックアップ３０（図８）内の多分割型フォトディテクタ４３（図８，図９）を用いて検出している。
【００５２】
尚、第２光ディスク１Ｂへの更なる記録密度の向上のために、情報信号読取り側に位置する第１ディスク基板２Ｂに０．１ｍｍ〜０．２ｍｍ程度の薄い透明フィルムを用いて厚みを薄く形成し、且つ、層間距離が例えば２５μｍ程度の第１，第２信号面を形成することで、ＤＶＤよりも更に高密度記録再生可能なＢＤを得る方法もある。
【００５３】
ここで、グルーブトラック３は、第２光ディスク１Ｂを例えばＣＬＶ（Ｃｏｎｓｔａｎｔ  Ｌｉｎｅａｒ  Ｖｅｌｏｃｉｔｙ…線速度一定）で回転制御させる際の基準クロックを抽出するために、前記した基準クロックに基づいた所定の周波数でウォブル（蛇行）されている。
【００５４】
この際、グルーブトラック３に記録される情報信号のデータフォーマットは、第１光ディスク１Ａ（図１）と略同様に、一つのセクタ（レコーディングセクタ）が２６個の同期フレーム（シンクフレームで）で構成され、且つ、一つのＥＣＣ（Ｅｒｒｏｒ  Ｃｏｒｒｅｃｔｉｎｇ  Ｃｏｄｅ）ブロックが例えば１６セクタで構成されている。
【００５５】
また、グルーブトラック３上には、図６に模式的に示した如く、ＡＤＩＰ（Ａｄｄｒｅｓｓ  Ｉｎ  Ｐｒｅ−ｇｒｏｏｖｅ）構造が採用されており、このＡＤＩＰ構造は２シンクフレームに９３個のウォブルが対応しており、そのうち８個のウォブルが前述したウォブル位相変調部３ａであり、この位相変調部３ａにＡＤＩＰと呼ばれるアドレス情報がプリフォーマットされていると共に、残りの８３個が単一ウォブルとして形成されている。
【００５６】
この際、図７に示した如く、第２光ディスク１Ｂのグルーブトラック３上に形成された８ウォブルの位相変調部（ＡＤＩＰ）３ａにおいては、３つのパターンのＡＤＩＰビットが存在する。この図７中で（ａ）はＡＤＩＰワードの切れ目を示すためのＡＤＩＰワード・シンクであり、（ｂ）はＡＤＩＰ＝０を示すためのＡＤＩＰゼロ・ビットであり、（ｃ）はＡＤＩＰ＝１を示すためのＡＤＩＰワン・ビットである。そして、ＡＤＩＰワードは、これらのＡＤＩＰビットの合計５２ビットにより表わされ、そのうちビット０〜ビット２３が、アドレス情報である。
【００５７】
そして、上記したように、プリフォーマットされたアドレス情報を取得するためにランドプリピットフォーマットを採用した第１光ディスク１Ａと、プリフォーマットされたアドレス情報を取得するためにウォブル位相変調フォーマットを採用した第２光ディスク１Ｂとを下記する光ディスク装置２０（図８）内に選択的に装着可能に構成しているので、光ディスク装置２０の使い勝手を向上させることができる。
＜光ディスク装置＞
図８は本発明に係る光ディスク装置の全体構成を示した構成図、
図９は本発明に係る光ディスク装置において、光ピックアップ内に設けた多分割型フォトディテクタを拡大して示した図、
図１０は本発明に係る光ディスク装置において、制御回路内に設けたフォーカス制御部（ＦＯ制御部）を拡大して示した図、
図１１は本発明に係る光ディスク装置において、制御回路内に設けたトラッキング制御部（ＴＲ制御部）を拡大して示した図、
図１２（ａ）〜（ｃ）は本発明に係る光ディスク装置において、第１プッシュプル信号からウォブル信号とランドプリピット信号とをそれぞれ抽出する状態を模式的に示した図、
図１３（ａ）〜（ｄ）は本発明に係る光ディスク装置において、第２プッシュプル信号からウォブル信号とＡＤＩＰ信号とをそれぞれ抽出する状態を模式的に示した図、
図１４（ａ）〜（ｅ）は第１光ディスク又は第２光ディスクの第１信号面及び第２信号面が共に記録済みであるときに、対物レンズから出射させたレーザービームスポットを第１信号面から第２信号面にフォ−カスジャンプさせた場合の各信号波形を示した図、
図１５（ａ）〜（ｅ）は第１光ディスク又は第２光ディスクの第１信号面が記録済みであり、且つ、第２信号面が未記録であるときに、対物レンズから出射させたレーザービームスポットを第１信号面から第２信号面にフォ−カスジャンプさせた場合の各信号波形を示した図、
図１６は本発明に係る光ディスク装置において、対物レンズによるフォーカスジャンプを含むシーク動作の一例を示すフローチャートである。
【００５８】
図８に示した如く、本発明に係る実施例の光ディスク装置２０では、この内部に装置全体を制御するための制御回路２１がマイクロコンピュータを用いて設けられており、且つ、制御回路２１内には制御動作を指令するソフトを予め格納したＲＯＭ２１ａと、制御に必要なデータを一時的に格納するＲＡＭ２１ｂと、後述するフォーカス制御部（ＦＯ制御部）２１ｃと、後述するトラッキング制御部（ＴＲ制御部）２１ｄとが設けられている。
【００５９】
また、光ディスク装置２０内には、プリフォーマットされたアドレス情報を取得するためにランドプリピットフォーマットを採用した第１光ディスク１Ａと、プリフォーマットされたアドレス情報を取得するためにウォブル位相変調フォーマットを採用した第２光ディスク１Ｂとが、スピンドルモータ２２の軸２２ａに固着したターンテーブル２３上に選択的に着脱可能に搭載されて、上方からディスククランパ２４でターンテーブル２３上に押圧されてしっかりとクランプされていると共に、制御回路２１からの指令で動作する第１モータ駆動回路２５を介してスピンドルモータ２２の回転数がＣＬＶ制御されて、第１光ディスク１Ａ又は第２光ディスク１Ｂがターンテーブル２３及びディスククランパ２４と一体に回転自在になっている。
【００６０】
この際、上記した第１光ディスク１Ａは、先に図１を用いて説明したように、記録再生可能な信号面５Ａ，７Ａが少なくとも２層に形成された上で、所定の周波数でウォブルされたグルーブトラック３と、隣り合うグルーブトラック３間にあるランドトラック４とが対をなして内周から外周に亘って螺旋状又は同心円状に形成されており、且つ、ランドトラック４上にアドレス情報や訂正用パリティなどを示すランドプリピット４ａがプリフォーマットされているものが適用されている。
【００６１】
一方、上記した第２光ディスク１Ｂは、先に図５を用いて説明したように、記録再生可能な信号面５Ｂ，７Ｂが少なくとも２層に形成された上で、所定の周波数でウォブルされたグルーブトラック３と、隣り合うグルーブトラック３間にあるランドトラック４とが対をなして内周から外周に亘って螺旋状又は同心円状に形成されており、且つ、グルーブトラック３上にアドレス情報を示すウォブル位相変調部（ＡＤＩＰ）３ａがプリフォーマットされているものが適用されている。
【００６２】
また、第１光ディスク１Ａ又は第２光ディスク１Ｂの下方には、光ピックアップ３０が各光ディスク１Ａ，１Ｂの半径方向に移動自在に設けられており、この光ピックアップ３０は、光ピックアップ筐体３１の螺合部３１ａが制御回路２１からの指令で動作する第２モータ駆動回路２６により回転駆動されるスレッドモータ２７に連結したリードスクリュー２８に螺合することで、各光ディスク１Ａ，１Ｂの半径方向に直線移動自在に設けられている。
【００６３】
上記した光ピックアップ３０は、凹凸状のピット列でトラックを形成した再生専用タイプの光ディスク（図示せず）と、記録再生可能タイプの第１光ディスク１Ａと、記録再生可能タイプの第２光ディスク１Ｂとに対応できるようにメインビームと一対のサブビームとを使用する方式を採用して構成されている。
【００６４】
具体的に説明すると、光ピックアップ３０の光ピックアップ筐体３１内には、レーザー駆動回路２９を介して所定波長のレーザー光を出射するレーザー光源３２と、レーザー光源３２からのレーザー光を平行光に変換するコリメータレンズ３３と、この平行光のレーザー光をメインビームと一対のサブビームとによる３ビームに分離する回折素子３４と、レーザー光源３２からのレーザー光と各光ディスク１Ａ，１Ｂからの反射光（戻り光）とを分離するビームスプリッタ３５と、平行光のレーザー光を円偏光に変換するλ／４板３６と、レンズホルダ３７内に取り付けられてメインビームと一対のサブビームとによる３ビームのレーザービームスポットＬＢを各光ディスク１Ａ，１Ｂの信号面（図示せず）上に照射する対物レンズ３８と、レンズホルダ３７の外周に取り付けられて対物レンズ３８をフォーカス方向及びトラッキング方向に揺動させるフォーカスコイル３９及びトラッキングコイル４０と、各光ディスク１Ａ，１Ｂの信号面で反射されたメインビームと一対のサブビームとによる３ビームの戻り光を検出レンズ４１，シリンドリカルレンズ４２を介して検出する多分割型フォトディテクタ４３とで構成されている。
【００６５】
この際、上記したレーザー駆動回路２９は、第１光ディスク１Ａ又は第２光ディスク１Ｂのグルーブトラック３に情報信号を記録する場合には、ここに印加される記録信号ＲＳに応じてレーザー光源３２から記録パワーを持たせた記録用のレーザー光を出射させるように駆動し、一方、記録済みの第１光ディスク１Ａ又は第２光ディスク１Ｂを再生する場合にはレーザー光源３２から記録パワーよりもパワーが小さい再生用のレーザー光を出射させるように駆動している。
【００６６】
また、上記したレーザー光源３２は、第１光ディスク１Ａ又は第２光ディスク１ＢがＤＶＤタイプ又はＨＤ−ＤＶＤタイプであれば波長６５０ｎｍ近辺のレーザー光を出射し、第２光ディスク１ＢがＢＤタイプであれば波長４０５ｎｍ近辺のレーザー光を出射するようになっている。
【００６７】
そして、制御回路２１の指令によりレーザー駆動回路２９を介してレーザー光源３２を始動させて所定波長のレーザー光を出射させると、このレーザー光はコリメータレンズ３３，回折素子３４，ビームスプリッタ３５，λ／４板３６を経由して対物レンズ３８に入射され、この対物レンズ３８で絞り込んだメインビームと一対のサブビームとによる３ビームのレーザービームスポットＬＢが第１光ディスク１Ａ又は第２光ディスク１Ｂの信号面に到達し、ここで図９に拡大して示したように３ビームのレーザービームスポットＬＢのうちでメインビームＭＢは一つのグルーブトラック３上にスポット状に照射されると共に、一対のサブビームＳＢ１，ＳＢ２は一つのグルーブトラック３の両側にあるランドトラック４，４上にスポット状に照射されている。
【００６８】
この後、第１光ディスク１Ａ又は第２光ディスク１Ｂの信号面で反射されたメインビームＭＢの戻り光と一対のサブビームＳＢ１，ＳＢ２の戻り光とが、対物レンズ３８，λ／４板３６を通過してビームスプリッタ３５で反射されて検出レンズ４１，シリンドリカルレンズ４２を介して多分割型フォトディテクタ４３上にそれぞれに集光される。
【００６９】
ここで、多分割型フォトディテクタ４３は、図９に拡大して示したように、第１光ディスク１Ａ又は第２光ディスク１Ｂの一つのグルーブトラック３上に照射したメインビームＭＢの戻り光を検出する４個の受光領域Ａ〜Ｄと、一つのグルーブトラック３に隣接する一方のランドトラック４上に照射した一方のサブビームＳＢ１を検出する２個の受光領域Ｅ，Ｆと、一つのグルーブトラック３に隣接する他方のランドトラック４上に照射した他方のサブビームＳＢ２を検出する２個の受光領域Ｇ，Ｈとが一つの半導体基板（図示せず）上に配置されており、各受光領域Ａ〜Ｈは第１光ディスク１Ａ又は第２光ディスク１Ｂのトラック方向及び径方向に対して図示の配置関係となっている。
【００７０】
再び図８に戻り、光ピックアップ３０内の多分割型フォトディテクタ４３より後段には、フォーカスエラー信号検出回路５０と、トラッキングエラー信号検出回路６０と、プッシュプル信号検出回路７０と、ＲＦ信号検出回路８０とが設けられており、且つ、各検出回路５０，６０，７０，８０は第１光ディスク１Ａと第２光ディスク１Ｂとに対して共用可能に設けられているので、光ディスク装置２０の構成部材の簡素化が図られている。
【００７１】
ここで、上記したフォーカスエラー信号検出回路５０では、対物レンズ３８を第１光ディスク１Ａ又は第２光ディスク１Ｂの信号面に対してフォーカス方向に制御するためのフォーカスエラー信号ＦＥを検出しており、このフォーカスエラー信号ＦＥは周知の非点収差法により図９に示した多分割型フォトディテクタ４３内の各受光領域Ａ〜Ｄで受光した各検出信号に対して第１の演算処理となる下記の式１に基づいて演算されている。
［数１］
ＦＥ＝（Ａ＋Ｃ）−（Ｂ＋Ｄ）      （式１）。
【００７２】
そして、フォーカスエラー信号検出回路５０で検出したアナログのフォーカスエラー信号ＦＥをＡ／Ｄ変換器５１でディジタルのフォーカスエラー信号ＦＥに変換して制御回路２１内に設けたフォーカス制御部（ＦＯ制御部）２１ｃに入力させている。
【００７３】
前記した制御回路２１内に設けたフォーカス制御部（ＦＯ制御部）２１ｃは、図１０に拡大して示した如く、第２スイッチＳＷ２と、ループ制御部２１ｃ１と、フォーカスジャンプ信号・フォーカスブレーキ信号生成部２１ｃ２と、フォーカスジャンプ・フォーカスブレーキ制御部２１ｃ３とから構成されている。
【００７４】
このフォーカス制御部（ＦＯ制御部）２１ｃ内では、ディジタルのフォーカスエラー信号ＦＥがループ制御部２１ｃ１を介して第２スイッチＳＷ２の一方の端子ａに入力され、且つ、フォーカスジャンプ信号・フォーカスブレーキ信号生成部２１ｃ２にも入力されている。
【００７５】
また、フォーカスジャンプ・フォーカスブレーキ制御部２１ｃ３には、第１光ディスク１Ａ又は第２光ディスク１Ｂ中で不図示のリードイン領域から何層の信号面があるかを読み出した層判別信号Ｓ１／Ｓ２（この実施例では２層のためＳ１／Ｓ２とする）と、不図示の操作部で指示された層指示信号ＳＳとが入力されている。
【００７６】
そして、フォーカスジャンプ・フォーカスブレーキ制御部２１ｃ３により対物レンズ３８（図１）から出射させたレーザービームスポットＬＢを第１光ディスク１Ａ又は第２光ディスク１Ｂ中で現在の層の信号面から目的とする他の層の信号面へ移動させるためのフォーカスジャン制御指令信号をフォーカスジャンプ信号・フォーカスブレーキ信号生成部２１ｃ２に送り、このフォーカスジャンプ信号・フォーカスブレーキ信号生成部２１ｃ２内でフォーカスエラー信号ＦＥのＳ字カーブの立ち下り及び立ち上がりに基づいて後述の図１４（ｂ）及び図１５（ｂ）に示したようなフォーカスジャンプ信号ＦＪ・フォーカスブレーキ信号ＦＢが生成されて、このフォーカスジャンプ信号ＦＪ・フォーカスブレーキ信号ＦＢ信号が第２スイッチＳＷ２の他方の端子ｂに入力されており、更に、フォーカスジャンプ・フォーカスブレーキ制御部２１ｃ３からのフォーカスジャンプ制御指令信号により第２スイッチＳＷ２を切り換えることで、フォーカスエラー信号ＦＥとフォーカスジャンプ信号ＦＪ・フォーカスブレーキ信号ＦＢとが選択的にＤ／Ａ変換器５２に送られている。
【００７７】
この後、ディジタルのフォーカスエラー信号ＦＥ又はフォーカスジャンプ信号ＦＪ・フォーカスブレーキ信号ＦＢをＤ／Ａ変換器５２内でアナログ化してフォーカス駆動回路（ＦＯ  ＤＲＩＶＥ）５３を介してフォーカスコイル３９に印加することで、第２スイッチＳＷ２が一方の端子ａ側に切り換ったときにアナログのフォーカスエラー信号ＦＥにより対物レンズ３８が第１光ディスク１Ａ又は第２光ディスク１Ｂ中で所望の層の信号面に対してフォーカス方向に制御され、且つ、第２スイッチＳＷ２が他方の端子ｂ側に切り換ったときにフォーカスジャンプ信号ＦＪ・フォーカスブレーキ信号ＦＢにより対物レンズ３８（図８）から出射させたレーザービームスポットＬＢ（図８）が第１光ディスク１Ａ又は第２光ディスク１Ｂ中で所望の層の信号面に向かってフォーカスジャンプできるようになっている。
【００７８】
次に、上記したトラッキングエラー信号検出回路６０では、対物レンズ３８を第１光ディスク１Ａ又は第２光ディスク１Ｂの信号面に対してトラッキング方向に制御するためのトラッキングエラー信号ＴＥを検出しており、このトラッキングエラー信号ＴＥは周知のＤＰＰ（Ｄｉｆｆｅｒｅｎｔｉａｌ  Ｐｕｓｈ  Ｐｕｌｌ）法により図９に示した多分割型フォトディテクタ４３内の各受光領域Ａ〜Ｈで受光した各検出信号に対して第２の演算処理となる下記の式２に基づいて演算されている。
［数２］
ＴＥ＝｛（Ａ＋Ｂ）−（Ｃ＋Ｄ）｝＋｛（Ｅ−Ｆ）＋（Ｇ−Ｈ）｝      （式２）。
【００７９】
そして、トラッキングエラー信号検出回路６０で検出したアナログのトラッキングエラー信号ＴＥをＡ／Ｄ変換器６１でディジタルのトラッキングエラー信号ＴＥに変換して制御回路２１内に設けたトラッキング制御部（ＴＲ制御部）２１ｄに入力させている。
【００８０】
前記した制御回路２１内に設けたトラッキング制御部（ＴＲ制御部）２１ｄは、図１１に拡大して示した如く、第３スイッチＳＷ３と、ループ制御部２１ｄ１と、トラッキングセンター値信号生成部２１ｄ２と、トラッキングループオン・オフ制御部２１ｄ３とから構成されている。
【００８１】
このトラッキング制御部（ＴＲ制御部）２１ｄ内では、ディジタルのトラッキングエラー信号ＴＥがループ制御部２１ｄ１を介して第３スイッチＳＷ３の一方の端子ａに入力されている。
【００８２】
また、トラッキングエラーセンター値信号生成部２１ｄ２内で後述するトラッキングループオン用としてトラッキングエラー信号ＴＥの略センター値に設定されたディジタルのトラッキングエラーセンター値信号ＴＥＣが生成されて、このトラッキングエラーセンター値信号ＴＥＣが第３スイッチＳＷ３の他方の端子ａに入力されている。
【００８３】
また、トラッキングループオン・オフ制御部２１ｄ３には、第１光ディスク１Ａ又は第２光ディスク１Ｂ中で不図示のリードイン領域から読み出した層判別信号Ｓ１／Ｓ２と、不図示の操作部で指示された層指示信号ＳＳとが入力されている。
【００８４】
そして、トラッキングループオン・オフ制御部２１ｄ３の制御指令により第３スイッチＳＷ３を切り換えることで、トラッキングエラー信号ＴＥとトラッキングエラーセンター値信号ＴＥＣとが選択的にＤ／Ａ変換器６２に送られている。
【００８５】
この後、ディジタルのトラッキングエラー信号ＴＥ又はトラッキングエラーセンター値信号ＴＥＣをＤ／Ａ変換器６２内でアナログ化してトラッキング駆動回路（ＴＲ  ＤＲＩＶＥ）６３を介してトラッキングコイル４０に印加することで、第３スイッチＳＷ３が一方の端子ａ側に切り換ったときにアナログのトラッキングエラー信号ＴＥにより対物レンズ３８が第１光ディスク１Ａ又は第２光ディスク１Ｂ中で所望の層の信号面に対してトラッキング方向に制御され、且つ、第３スイッチＳＷ３が他方の端子ｂ側に切り換ったときにトラッキングエラーセンター値信号ＴＥＣにより対物レンズ３８がトラッキングループオン制御できるようになっている。
【００８６】
次に、上記したプッシュプル信号検出回路７０では、第１光ディスク１Ａの信号面を再生した時に、第１光ディスク１Ａ上で所定の周波数でウォブルされたグルーブトラック３から得られるウォブル信号ＷＢＬと、第１光ディスク１Ａに形成されたランドトラック４上のランドプリピット４ａから得られるランドプリピット信号ＬＰＰとを含む第１プッシュプル信号ＰＰ１を検出し、一方、第２光ディスク１Ｂの信号面を再生した時に、第２光ディスク１Ｂ上で所定の周波数でウォブルされたグルーブトラック３から得られるウォブル信号ＷＢＬと、第２光ディスク１Ｂに形成されたグルーブトラック３上のウォブル位相変調部（ＡＤＩＰ）３ａから得られるＡＤＩＰ信号とを含む第２プッシュプル信号ＰＰ２を検出しており、これらの第１プッシュプル信号ＰＰ１又は第２プッシュプル信号ＰＰ２は周知のプッシュプル法により図９に示した多分割型フォトディテクタ４３内の各受光領域Ａ〜Ｄで受光した各検出信号に対して第３の演算処理となる下記の式３に基づいて演算されている。
［数３］
ＰＰ１又はＰＰ２＝｛（Ａ＋Ｂ）−ｋ（Ｃ＋Ｄ）｝      （式３）。
【００８７】
この際、上記した係数ｋの値は、例えば０．７〜０．９程度に設定されている。
【００８８】
尚、この実施例では、第１プッシュプル信号ＰＰ１又は第２プッシュプル信号ＰＰ２を検出する際に４つの受光領域Ａ〜Ｄを有する４分割型フォトディテクタを用いているが、第１光ディスク１Ａ又は第２光ディスク１Ｂの信号面のトラック方向に沿った直線に対して２分割して２つの受光領域を有する２分割型フォトディテクタ（図示せず）を用いても良く、この場合には第１受光領域は４分割型フォトディテクタ中の（Ａ＋Ｂ）に相当する領域とし、第２受光領域は４分割型フォトディテクタ中の（Ｃ＋Ｄ）に相当する領域として扱えば良いものである。
【００８９】
そして、プッシュプル信号検出回路７０で検出した第１プッシュプル信号ＰＰ１又は第２プッシュプル信号ＰＰ２は、ウォブル信号抽出回路（ＷＢＬ抽出回路）７１と、ランドプリピット信号抽出回路（ＬＰＰ抽出回路）７２と、ＡＤＩＰ信号抽出回路７３とに入力されるものの、第１光ディスク１Ａの信号面を再生した時にはウォブル信号抽出回路７１とランドプリピット信号抽出回路７２とが動作し、一方、第２光ディスク１Ｂの信号面を再生した時にはウォブル信号抽出回路７１とＡＤＩＰ信号抽出回路７３とが動作するようになっている。
【００９０】
ここで、第１光ディスク１Ａ又は第２光ディスク１Ｂの信号面を再生した時に、プッシュプル信号検出回路７０で検出した第１プッシュプル信号ＰＰ１又は第２プッシュプル信号ＰＰ２からウォブルされたグルーブトラック３と対応したウォブル信号ＷＢＬを抽出する場合には、図１２（ａ），（ｂ）又は図１２（ａ）〜（ｃ）に示したように、ウォブル信号抽出回路（ＷＢＬ抽出回路）７１により、第１プッシュプル信号ＰＰ１又は第２プッシュプル信号ＰＰ２に対してウォブル周波数成分を不図示のＢＰＦ（バンドパスフィルタ）を介して周波数選択して取り出し、このウォブル周波数成分を０レベルの閾値により２値化した上で不図示のＰＬＬ回路を介して同期を取ってウォブル信号ＷＢＬを得た後に、このウォブル信号ＷＢＬを制御回路２１に入力している。
【００９１】
この後、制御回路２１内では、入力されたウォブル信号ＷＢＬを用いて第１光ディスク１Ａ又は第２光ディスクＢを搭載したスピンドルモータ２２を例えばＣＬＶ（Ｃｏｎｓｔａｎｔ  Ｌｉｎｅａｒ  Ｖｅｌｏｃｉｔｙ…線速度一定）で回転制御させる際の基準クロック（図示せず）を生成して、この基準クロックを第１モータ駆動回路２５に供給している。
【００９２】
また、第１光ディスク１Ａの信号面を再生した時に、プッシュプル信号検出回路７０で検出した第１プッシュプル信号ＰＰ１から第１光ディスク１Ａに形成されたランドトラック４上のランドプリピット４ａから得られるランドプリピット信号ＬＰＰを抽出する場合には、ランドプリピット信号抽出回路（ＬＰＰ信号抽出回路）７２により、図１２（ａ），（ｃ）に示した如く、第１プッシュプル信号ＰＰ１に対してウォブル波高よりも大きな値に設定された正極性のランドプリピット信号スライスレレベルで２値化してランドプリピット信号ＬＰＰを抽出し、このランドプリピット信号ＬＰＰを第１スイッチＳＷ１の一方の端子ａに入力している。
【００９３】
更に、第２光ディスク１Ｂの信号面を再生した時に、プッシュプル信号検出回路７０で検出した第２プッシュプル信号ＰＰ２から第２光ディスク１Ｂに形成されたグルーブトラック３上のウォブル位相変調部（ＡＤＩＰ）３ａから得られるＡＤＩＰ信号を抽出する場合には、ＡＤＩＰ信号抽出回路７３により、例えば特開２００５−１００５７４号公報に記載されているように、第２プッシュプル信号ＰＰ２に対して不図示の高域通過フィルタ及び低域通過フィルタを通過した信号と、ここに入力した第２プッシュプル信号ＰＰ２との位相差を不図示の位相比較器により検出して、検出した位相差に応じてＡＤＩＰ信号を図１２（ｄ）に示した如く得て、このＡＤＩＰ信号を第１スイッチＳＷ１の一方の端子ａに入力している。
【００９４】
尚、ＡＤＩＰ信号抽出回路７３によりＡＤＩＰ信号を抽出する方法は上記の方法に限られるものではなく、ＡＤＩＰ信号によるアドレス情報を取得できればいかなる方法でも良いものである。
【００９５】
この際、第１スイッチＳＷ１の一方の端子ａに入力される第１光ディスク１Ａからのランドプリピット信号ＬＰＰと、第２光ディスク１ＢからのＡＤＩＰ信号は、前述したように、第１光ディスク１Ａと第２光ディスク１Ｂとが同時に使用されないので、同時に入力されることはない。
【００９６】
次に、上記したＲＦ信号処理回路８０では、第１光ディスク１Ａ又は第２光ディスク１Ｂのグルーブトラック３に記録された映像データとか音声データなどの情報信号と対応したメインデータ信号（ＲＦ信号）ＲＦが図９に示した多分割型フォトディテクタ４３内の各受光領域Ａ〜Ｄで受光した各検出信号に対して第４の演算処理となる下記の式４に基づいて演算されている。
［数４］
ＲＦ＝Ａ＋Ｂ＋Ｃ＋Ｄ        （式４）。
【００９７】
そして、ＲＦ信号処理回路８０で検出したアナログのメインデータ信号ＲＦは、ＩＤアドレス抽出回路８１と、未記録／記録済み判別回路８２と、メインデータ処理回路８３とに入力されている。
【００９８】
ここで、上記したＩＤアドレス抽出回路８１では、ＲＦ信号処理回路８０で検出したアナログのメインデータ信号ＲＦから記録済みの情報信号Ｄに対するトラック位置特定を行うためのＩＤ（Ｉｄｅｎｔｉｆｉｃａｔｉｏｎ  Ｄａｔａ）アドレス情報を抽出して、このＩＤアドレス情報を第１スイッチＳＷ１の他方の端子ｂに入力しているが、この際に、上記したＩＤアドレス情報は、先に図２を用いて説明したように、一つのセクタの先頭フレームのフレーム同期信号ＳＹ０の直後に記録されたものである。
【００９９】
また、上記した未記録／記録済み判別回路８２は、第１光ディスク１Ａ又は第２光ディスク１Ｂのグルーブトラック３に情報信号が記録されているか否かを判別するための回路であり、ＲＦ信号処理回路８０で検出したアナログのメインデータ信号ＲＦ｛図１４（ｄ）及び図１５（ｄ）｝の振幅に対して所定の閾値を設定することで、未記録／記録済み判別回路８２内で後述の図１４（ｅ）及び図１５（ｅ）に示したような未記録／記録済み判別信号ＪＳが生成され、この未記録／記録済み判別信号ＪＳで制御回路２１を介して第１スイッチＳＷ１を切り換えている。
【０１００】
この際、図１４（ｅ）及び図１５（ｅ）に示したように、未記録／記録済み判別信号ＪＳが「Ｌｏｗ」であればグルーブトラック３上で情報信号が未記録であり、一方、未記録／記録済み判別信号ＪＳが「Ｈｉｇｈ」であればグルーブトラック３上で情報信号が記録済みであるので、未記録／記録済み判別信号ＪＳが「Ｌｏｗ」のときに第１スイッチＳＷ１を一方の端子ａ側に切り換えることで、未記録状態のグルーブトラック３に対して第１光ディスク１Ａからのランドプリピット信号ＬＰＰ又は第２光ディスク１ＢからのＡＤＩＰ信号によるプリフォーマットされたアドレス情報が取得でき、一方、未記録／記録済み判別信号ＪＳが「Ｈｉｇｈ」のときに第１スイッチＳＷ１を他方の端子ｂ側に切り換えることで、記録済み状態のグルーブトラック３のメインデータ信号ＲＦ中から記録したＩＤアドレス情報を取得できるようになっている。
【０１０１】
更に、上記したメインデータ処理回路８３では、ＲＦ信号処理回路８０で検出したアナログのメインデータ信号ＲＦに対して第１光ディスク１Ａ又は第２光ディスク１Ｂのディスク規格に対応して所定のフォーマットに基づいてメインデータを処理している。
【０１０２】
次に上記のように構成した光ディスク装置２０内で対物レンズ３８（図８）から出射させたレーザービームスポットＬＢ（図８）を第１光ディスク１Ａ又は第２光ディスク１Ｂ中で現在層となる１層目の信号面から目的とする他の層となる２層目の信号面に向かってフォーカスジャンプさせる動作について、図１４〜図１６を用いて説明する。
【０１０３】
まず、図１４は第１光ディスク１Ａ又は第２光ディスク１Ｂ中で１層目の第１信号面５Ａ又は５Ｂ及び２層目の第２信号面７Ａ又は７Ｂが共に記録済み状態である場合を示し、一方、図１５は第１光ディスク１Ａ又は第２光ディスク１Ｂ中で１層目の第１信号面５Ａ又は５Ｂが記録済み状態であり、且つ、２層目の第２信号面７Ａ又は７Ｂが未記録状態である場合示している。
【０１０４】
この際、対物レンズ３８（図８）から出射させたレーザービームスポットＬＢ（図８）を第１光ディスク１Ａ又は第２光ディスク１Ｂ中で現在層となる１層目の第１信号面５Ａ又は５Ｂから目的とする他の層となる２層目の第２信号面７Ａ又は７Ｂに向かってフォーカスジャンプさせる場合に、図１４（ａ）及び図１５（ａ）は先に図１０を用いて説明したようにフォーカスコイル３９（図８）に印加するトフォーカスエラー信号ＦＥを示し、また、図１４（ｂ）及び図１５（ｂ）は先に図１０を用いて説明したようにフォーカスコイル３９（図８）に印加するフォーカスジャンプ信号ＦＪ・フォーカスブレーキ信号ＦＢを示し、また、図１４（ｃ）及び図１５（ｃ）は先に図１１を用いて説明したようにトラッキングコイル４０（図８）に印加するトラッキンギエラー信号ＴＥを示し、また、図１４（ｄ）及び図１５（ｄ）は先に図８を用いて説明したように第１光ディスク１Ａ又は第２光ディスク１Ｂの信号面から得られるメインデータ信号ＲＦを示し、更に、図１４（ｅ）及び図１５（ｅ）は先に図８を用いて説明したようにメインデータ信号ＲＦの振幅に対して所定の閾値を設定して未記録状態である場合に「Ｌｏｗ」を、一方、記録済み状態である場合に「Ｈｉｇｈ」を出力する未記録／記録済み判別信号ＪＳを示している。
【０１０５】
そして、図１４に示したように、対物レンズ３８（図８）から出射させたレーザービームスポットＬＢ（図８）を第１光ディスク１Ａ又は第２光ディスク１Ｂ中で１層目の信号面５Ａ又は５Ｂからフォーカスジャンプを開始して２層目の信号面７Ａ又は７Ｂにフォーカスジャンプさせたときに、２層目の信号面７Ａ又は７Ｂが記録済みである場合には、フォーカスジャンプ直後からメインデータ信号ＲＦの振幅が大きいので、未記録／記録済み判別信号ＪＳは「Ｈｉｇｈ」を出力する。
【０１０６】
一方、図１５に示したように、第１光ディスク１Ａ又は第２光ディスク１Ｂ中でフォーカスジャンプ先の２層目の信号面７Ａ又は７Ｂが未記録である場合には、フォーカスジャンプ直後からメインデータ信号ＲＦの振幅が小さいの、未記録／記録済み判別信号ＪＳは「Ｌｏｗ」を出力する。
【０１０７】
更に、通常、フォーカスジャンプ終了からトラッキングループを繋ぐまでは安定待ちの為、数ｍｓ〜数十ｍｓの待ち時間ＷＴを設定しているが、この実施例ではフォーカスジャンプ終了からトラッキングループオンするまでの待ち時間ＷＴの間に、フォーカスジャンプ先の第２信号面７Ａ又は７Ｂに対して未記録であるか記録済みであるかを未記録／記録済み判別信号ＪＳにより判別し、トラッキングループオン後に第２信号面７Ａ又は７Ｂに対するアドレス情報の取得を未記録／記録済み判別信号ＪＳの判別結果に応じて選択している。
【０１０８】
即ち、図１４に示したように、第１光ディスク１Ａ又は第２光ディスク１Ｂ中でフォーカスジャンプ先の第２信号面７Ａ又は７Ｂに対する未記録／記録済み判別信号ＪＳから「Ｈｉｇｈ」が出力されて記録済みである場合には、先に図８を用いて説明した第１スイッチＳＷ１を他方の端子ｂ側に切り換えて、第２信号面７Ａ又は７Ｂに記録されたメインデータ信号ＲＦ中から記録したＩＤアドレス情報を取得している。
【０１０９】
一方、図１５に示したように、第１光ディスク１Ａ又は第２光ディスク１Ｂ中でフォーカスジャンプ先の第２信号面７Ａ又は７Ｂに対する未記録／記録済み判別信号ＪＳから「Ｌｏｗ」が出力されて未記録である場合には、先に図８を用いて説明した第１スイッチＳＷ１を一方の端子ａ側に切り換えて、第２信号面７Ａ又は７Ｂ中でプリフォーマットされたアドレス情報を取得しており、具体的には、第１光ディスク１Ａの第２信号面７Ａではランドトラック４上のランドプリピット４ａから得られるランドプリピット信号ＬＰＰをアドレス情報として取得し、第２光ディスク１Ｂの第２信号面７Ｂではグルーブトラック３上のウォブル位相変調部（ＡＤＩＰ）３ａから得られるＡＤＩＰ信号をアドレス情報として取得している。
【０１１０】
ここで、上記したようなフォーカスジャンプを含むシーク動作の一例を図１６に示すフローチャートに基づいて説明すると、まず、ステップＳ１１でフォーカスジャンプを実行する。ここでは、先に図１４及び図１５を用いて説明したように、対物レンズ３８（図８）から出射させたレーザービームスポットＬＢ（図８）を第１光ディスク１Ａ又は第２光ディスク１Ｂ中で現在層となる１層目の信号面から目的とする他の層となる２層目の信号面に向かってフォーカスジャンプさせている。
【０１１１】
次に、ステップＳ１２でフォーカスジャンプが成功したか、失敗したかを判断し、フォーカスジャンプが失敗した場合にはステップＳ１３で予め別に用意されたエラー処理を実施してリカバリさせる。リカバリ後の処理はそれぞれのシステムに拠るところが大きいので、ここでは省略する。
【０１１２】
一方、フォーカスジャンプが成功したら、ステップＳ１４で現在地（フォーカスジャンプ先）の記録状態を調査する。この際、図１４，図１５の例では、フォーカスジャンプ終了からトラッキングループオンするまでの待ち時間ＷＴの間に未記録／記録済み判別信号ＪＳが「Ｌｏｗ」であるか、それとも「Ｈｉｇｈ」であるかを調べる。これにより、他の層の信号面に対する未記録／記録済み判別を信頼性良く確実に行なうことができる。
【０１１３】
次に、ステップＳ１５で現在地が記録済みであるか否かを未記録／記録済み判別信号ＪＳの判別結果に基づいて判別を行う。
【０１１４】
そして、現在地が記録済みであれば、ステップ１６でアドレス取得方法を記録済み領域に適した方法になるように第１スイッチＳＷ１（図８）を他方の端子ｂ側に切り換える一方、現在地が未記録であれば、ステップ１７でアドレス取得方法を未記録領域に適した方法になるように第１スイッチＳＷ１（図８）を一方の端子ａ側に切り換えている。
【０１１５】
この後、ステップＳ１８で第１光ディスク１Ａ又は第２光ディスク１Ｂ中の第２信号面７Ａ又は７Ｂに対してトラッキングループオンし、ステップＳ１６又はステップＳ１７で設定したアドレス取得方式に従って、ステップＳ１９で第１光ディスク１Ａ又は第２光ディスク１Ｂ中の第２信号面７Ａ又は７Ｂに対してアドレス情報を取得している。
【０１１６】
この際、ステップＳ１９では、第１光ディスク１Ａ又は第２光ディスク１Ｂ中の第２信号面７Ａ又は７Ｂが記録済みであれば、記録したＩＤアドレス情報を取得する一方、未記録であれば、第１光ディスク１Ａの場合にランドプリピットフォーマットによりアドレス情報を取得し、第２光ディスク１Ｂの場合にウォブル位相変調フォーマットによりアドレス情報を取得している。
【０１１７】
その後、ステップＳ２０では既存の同一層内シーク方法でシークを行い、一連のシーク動作を完了する。
【０１１８】
上述したように、本発明に係る光ディスク装置２０によると、とくに、記録再生可能な信号面が２層又は２層以上の多層に形成された光ディスク１Ａ又は１Ｂ中で所望の層の信号面に対物レンズ３８から出射させたレーザービームスポットＬＢを照射して情報信号を記録し、前記記録した情報信号を再生する際に、レーザービームスポットＬＢを現在の層の信号面から目的とする他の層の信号面にフォーカスジャンプさせた後に、目的とする他の層の信号面が未記録である記録済みであるかをグルーブトラック３に記録した情報信号（メインデータ信号）の振幅から判別して、他の層の信号面が未記録である場合には光ディスク１Ａ又は１Ｂ中にプリフォーマットされたアドレス情報を取得する一方、記録済みである場合には記録済みの情報信号中から記録したＩＤアドレス情報を取得するようにアドレス情報切り換え可能に構成しているために、他の層の信号面が記録済みである場合に従来例で説明したようなＰＭＡ（Ｐｒｏｇｒｍ  Ｍｅｍｏｒｙ  Ａｒｅａ）のセクターテーブルに書き込まれた記録状態コードを用いないので、この記録状態コードが記録されている保証がないとか又は記録状態コードが誤っている場合でも従来例を適用せずに、本発明のように記録済みのグルーブトラック３から得た情報信号中から記録したＩＤアドレス情報を確実に取得でき、且つ、他の層の信号面を信頼性良くアクセスすることができると共に、アクセス処理をシンプルにすることができる。
【０１１９】
更に、各層でトラックピッチが大きく異なった光ディスクを仮に適用した場合、フォーカスジャンプの着地ポイントのアドレスが各層のトラックピッチが同じと仮定して算出したアドレスと大きく異なることがあるが、本発明ではフォーカスジャンプ前に記録状態を予め知る必要がないので、このような場合も対応可能である。
【図面の簡単な説明】
【０１２０】
【図１】（ａ），（ｂ）は本発明に係る光ディスク装置に適用される第１光ディスクを模式的に示した斜視図，平面図である。
【図２】図１に示した第１光ディスクにおいて、グルーブトラックに記録される情報信号のデータフォーマットを説明するための図である。
【図３】図１に示した第１光ディスクにおいて、ランドトラック上に形成したランドプリピットの種類を説明するための図である。
【図４】図１に示した第１光ディスクにおいて、一つのセクタに対応して設けた複数のランドプリピットを示した図である。
【図５】（ａ），（ｂ）は本発明に係る光ディスク装置に適用される第２光ディスクを模式的に示した斜視図，平面図である。
【図６】図５に示した第２光ディスクにおいて、グルーブトラック上に形成したウォブル位相変調部のＡＤＩＰ構造を模式的に示した図である。
【図７】（ａ）〜（ｃ）は図５に示した第２光ディスクにおいて、８ウォブルの位相変調部（ＡＤＩＰ）を説明するための図である。
【図８】本発明に係る光ディスク装置の全体構成を示した構成図、
【図９】本発明に係る光ディスク装置において、光ピックアップ内に設けた多分割型フォトディテクタを拡大して示した図である。
【図１０】本発明に係る光ディスク装置において、制御回路内に設けたフォーカス制御部（ＦＯ制御部）を拡大して示した図である。
【図１１】本発明に係る光ディスク装置において、制御回路内に設けたトラッキング制御部（ＴＲ制御部）を拡大して示した図である。
【図１２】（ａ）〜（ｃ）は本発明に係る光ディスク装置において、第１プッシュプル信号からウォブル信号とランドプリピット信号とをそれぞれ抽出する状態を模式的に示した図である。
【図１３】（ａ）〜（ｄ）は本発明に係る光ディスク装置において、第２プッシュプル信号からウォブル信号とＡＤＩＰ信号とをそれぞれ抽出する状態を模式的に示した図である。
【図１４】（ａ）〜（ｅ）は第１光ディスク又は第２光ディスクの第１信号面及び第２信号面が共に記録済みであるときに、対物レンズから出射させたレーザービームスポットを第１信号面から第２信号面にフォ−カスジャンプさせた場合の各信号波形を示した図である。
【図１５】（ａ）〜（ｅ）は第１光ディスク又は第２光ディスクの第１信号面が記録済みであり、且つ、第２信号面が未記録であるときに、対物レンズから出射させたレーザービームスポットを第１信号面から第２信号面にフォ−カスジャンプさせた場合の各信号波形を示した図である。
【図１６】本発明に係る光ディスク装置において、対物レンズによるフォーカスジャンプを含むシーク動作の一例を示すフローチャートである。
【符号の説明】
【０１２１】
１Ａ，１Ｂ  第１，第２光ディスク、２Ａ，２Ｂ  第１ディスク基板、
３  グルーブトラック、３ａ  位相変調部、
４  ランドトラック、４ａ  ランドプリピット、
５Ａ，５Ｂ  第１信号面、５ａ  第１記録層、５ｂ  半透過反射層、
６Ａ，６Ｂ  第２ディスク基板、
７Ａ，７Ｂ  第２信号面、７ａ  第２記録層、７ｂ  反射層、８  接着剤層、
２０  光ディスク装置、
２１  制御回路、２１ａ  ＲＯＭ、２１ｂ  ＲＡＭ、
２１ｃ  フォーカス制御部（ＦＯ制御部）、２１ｃ１  ループ制御部、
２１ｃ２  フォーカスジャンプ信号・フォーカスブレーキ信号生成部、
２１ｃ３  フォーカスジャンプ・フォーカスブレーキ制御部、
２１ｄ  トラッキング制御部（ＴＲ制御部）、２１ｄ１  ループ制御部、
２１ｄ２  トラッキングセンター値信号生成部、
２１ｄ３  トラッキングループオン・オフ制御部、
２２  スピンドルモータ、２２ａ  軸、２３  ターンテーブル、
２４  ディスククランパ、２５  第１モータ駆動回路、２６  第２モータ駆動回路、
２７  スレッドモータ、２８  リードスクリュー、２９  レーザー駆動回路、
３０  光ピックアップ、３１  光ピックアップ筐体、３１ａ  螺合部、
３２  レーザー光源、３３  コリメータレンズ、
３４  回折素子、３５  ビームスプリッタ、３６  λ／４板、３７  レンズホルダ、
３８  対物レンズ、３９  フォーカスコイル、４０  トラッキングコイル、
４１  検出レンズ、４２  シリンドリカルレンズ、４３  多分割型フォトディテクタ、
５０  フォーカスエラー信号検出回路、５１  Ａ／Ｄ変換器、
５２  Ｄ／Ａ変換器、５３  フォーカス駆動回路（ＦＯ  ＤＲＩＶＥ）、
６０  トラッキングエラー信号検出回路、６１  Ａ／Ｄ変換器、
６２  Ｄ／Ａ変換器、６３  トラッキング駆動回路（ＴＲ  ＤＲＩＶＥ）、
７０  プッシュプル信号検出回路、
７１  ウォブル信号抽出回路（ＷＢＬ信号抽出回路）、
７３  ランドプリピット信号抽出回路（ＬＰＰ信号抽出回路）、
７３  ＡＤＩＰ信号抽出回路、
８０  ＲＦ信号検出回路、８１  ＩＤアドレス抽出回路、
８２  未記録／記録済み判別回路、８３  メインデータ処理回路、
ＳＷ１〜ＳＷ  第１〜第３スイッチ、
Ａ〜Ｈ  多分割型フォトディテクタ内の各受光領域、
ＬＢ  レーザービームスポット、
ＦＥ  フォーカスエラー信号、
ＦＪ・ＦＢ  フォーカスジャンプ信号・フォーカスブレーキ信号、
ＴＥ  トラッキングエラー信号、
ＴＥＣ  トラッキングエラーセンター値信号、
Ｓ１／Ｓ２  層判別信号、ＳＳ  層指示信号、
ＪＳ  未記録／記録済み判別信号、
ＰＰ１  第１プッシュプル信号、ＰＰ２  第２プッシュプル信号、
ＬＰＰ  ランドプリピット信号、
ＷＢＬ  ウォブル信号、ＷＴ  待ち時間。
【図１】
2009093700.tif 000003
【図２】
2009093700.tif 000004
【図３】
2009093700.tif 000005
【図４】
2009093700.tif 000006
【図５】
2009093700.tif 000007
【図６】
2009093700.tif 000008
【図７】
2009093700.tif 000009
【図８】
2009093700.tif 000010
【図９】
2009093700.tif 000011
【図１０】
2009093700.tif 000012
【図１１】
2009093700.tif 000013
【図１２】
2009093700.tif 000014
【図１３】
2009093700.tif 000015
【図１４】
2009093700.tif 000016
【図１５】
2009093700.tif 000017
【図１６】
2009093700.tif 000018